(57)【要約】【課題】  高いセキュリティを保ちながら、遠隔地にあるルータ等のパラメータ設定を自在に行う。【解決手段】  携帯端末用の通信インタフェースを介して、ルータ１００の識別情報（シリアルナンバ）をサーバ２００に送信する識別情報送信過程（ＳＰ１１０，１１２）と、このサーバ２００から識別情報に対応するセットアップ情報を受信するセットアップ情報受信過程（ＳＰ１２２，ＳＰ１２４）と、この受信したセットアップ情報に基づいてルータ１００のパラメータを設定するセットアップ過程とをルータ１００において実行した。【選択図】  図２
2005086735.tif 000002
【特許請求の範囲】
【請求項１】
ＩＰ網用インタフェースを介してＩＰ網に接続される通信装置であって、
携帯情報端末に接続され、該携帯情報端末を介して前記通信装置の識別情報を送信するとともに、該携帯情報端末を介して前記通信装置のセットアップ情報を受信するインタフェース部
を有することを特徴とする通信装置。
【請求項２】
ＩＰ網用インタフェースを介してＩＰ網に接続される通信装置において実行され、該通信装置が該ＩＰ網を介して通信するためのパラメータを、該通信装置に対して設定するセットアップ方法であって、
前記ＩＰ網用インタフェースとは異なる通信インタフェースを介して、前記通信装置の識別情報を送信する識別情報送信過程と、
前記通信インタフェースを介して、前記識別情報に対応するセットアップ情報を受信するセットアップ情報受信過程と、
この受信したセットアップ情報に基づいて前記通信装置のパラメータを設定するセットアップ過程と
を有することを特徴とするセットアップ方法。
【請求項３】
前記通信装置の電源が投入されると、該通信装置のパラメータのセットアップが完了しているか否かを判定するセットアップ完了判定過程と、
該セットアップ完了判定過程の判定結果が否定的であったことを条件として、前記通信インタフェースに通信機器が接続されているか否かを判定する接続判定過程と、
該接続判定過程の判定結果が肯定的であったことを条件として、所定の相手先に発呼するように前記通信機器に対して指令を行う発呼指令過程と、
前記相手先が着呼したか否かを判定する着呼判定過程と
をさらに有し、該着呼判定過程の判定結果が肯定的であったことを条件として、前記識別情報送信過程以降の処理を実行することを特徴とする請求項２記載のセットアップ方法。
【請求項４】
ＩＰ網に接続される通信装置に対して、該通信装置が該ＩＰ網を介して通信するためのセットアップ情報を供給するセットアップ情報供給方法であって、
前記ＩＰ網とは異なる通信経路を介して、前記通信装置から該通信装置の識別情報を受信する識別情報受信過程と、
前記識別情報に対応するセットアップ情報が記憶されているか否かを判定するセットアップ情報判定過程と、
該セットアップ情報判定過程の判定結果が肯定的であったことを条件として、前記通信経路を介して、前記セットアップ情報を送信するセットアップ情報送信過程と
を有することを特徴とするセットアップ情報提供方法。
【請求項５】
前記通信経路を介して、前記通信装置からの呼設定信号を受信する過程と、
該呼設定信号に基づいて、前記通信装置はセットアップ情報を送信すべき対象であるか否かを判定する呼設定信号判定過程と、
該呼設定信号判定過程における判定結果が肯定的であったことを条件として、前記通信経路との間で通信経路を確立する着呼受付過程と
をさらに有することを特徴とする請求項４記載のセットアップ情報提供方法。
【請求項６】
請求項２ないし５の何れかに記載の方法を実行することを特徴とする通信装置の制御装置。
【請求項７】
請求項２ないし５の何れかに記載の方法を処理装置に実行させることを特徴とするプログラム。
【発明の詳細な説明】
【技術分野】
【０００１】
本発明は、ルータ、その他ネットワーク機器のパラメータ設定に用いて好適な通信装置、セットアップ方法、セットアップ情報提供方法、通信装置の制御装置およびプログラムに関する。
【背景技術】
【０００２】
ルータ等のネットワーク機器は、工場から出荷された時点では、ユーザの環境に対応する設定が行われていないため、個々のユーザの環境に応じて各種のパラメータの設定を行う必要がある。そして、これらルータ等は独自の入力装置を有していないことが多いため、通常はネットワークあるいはシリアルケーブルを介してルータ等にホストコンピュータが接続され、該ホストコンピュータを介して各種パラメータの設定が行われることになる。しかし、例えば多数の小売店における売上情報をインターネット上のＶＰＮ（Virtual Private Network）を介して収集するＰＯＳシステム(販売時点情報管理システム)を構築する場合、各ルータの設置場所に作業員が出向いて一台毎にパラメータの設定を行うことは非常に煩雑である。
【０００３】
このため、ルータ等の設定状態を遠隔操作する各種技術が提案されている。例えば特許文献１においては、公衆回線を介して遠隔地にあるコンピュータの制御を行う技術が開示されている。また、ルータがＩＳＤＮ回線を介してインターネットに接続される場合は、このＩＳＤＮ回線を経由して無設定状態のルータのパラメータ設定を行う技術が知られている。また、ルータが既にインターネットに接続されグローバルＩＰアドレスが付与された後であれば、インターネットを介してtelnetによる遠隔操作を行うことが可能である。
【特許文献１】特開平０５−１０８４１３号公報
【発明の開示】
【発明が解決しようとする課題】
【０００４】
しかし、特許文献１記載の技術によれば、被設定機器が多数存在する場合に各被設定機器毎に最適な設定を行う方法はなんら開示されていない。また、特許文献１記載の技術およびＩＳＤＮ回線を介してルータ等のパラメータ設定等を行う技術によれば、ルータの近傍に公衆回線の加入者線が設置されていなければ実現することができない。また、インターネットを介してtelnetによる遠隔操作を行う技術によれば、そもそもインターネットに接続可能な状態ではないルータ等に対して設定を行うことができず、またインターネットを介して設定情報が伝送されるためセキュリティ上も問題がある。
この発明は上述した事情に鑑みてなされたものであり、高いセキュリティを保ちながら、遠隔地にあるルータ等のパラメータ設定を自在に行うことができる通信装置、セットアップ方法、セットアップ情報提供方法、通信装置の制御装置およびプログラムを提供することを目的としている。
【課題を解決するための手段】
【０００５】
上記課題を解決するため本発明にあっては、下記構成を具備することを特徴とする。なお、括弧内は例示である。
請求項１記載の通信装置にあっては、ＩＰ網用インタフェース（１０２）を介してＩＰ網（インターネット）に接続される通信装置（１００）であって、携帯情報端末に接続され、該携帯情報端末を介して前記通信装置の識別情報を送信するとともに、該携帯情報端末を介して前記通信装置のセットアップ情報を受信するインタフェース部（１１２）を有することを特徴とする。
また、請求項２記載のセットアップ方法にあっては、ＩＰ網用インタフェース（１０２）を介してＩＰ網（インターネット）に接続される通信装置（１００）において実行され、該通信装置が該ＩＰ網を介して通信するためのパラメータを、該通信装置に対して設定するセットアップ方法であって、前記ＩＰ網用インタフェース（１０２）とは異なる通信インタフェース（１１２）を介して、前記通信装置の識別情報を送信する識別情報送信過程（ＳＰ１４）と、前記通信インタフェース（１１２）を介して、前記識別情報に対応するセットアップ情報を受信するセットアップ情報受信過程（ＳＰ３２〜ＳＰ３６）と、この受信したセットアップ情報に基づいて前記通信装置のパラメータを設定するセットアップ過程とを有することを特徴とする。
さらに、請求項３記載の構成にあっては、請求項２記載のセットアップ方法において、前記通信装置（１００）の電源が投入されると、該通信装置のパラメータのセットアップが完了しているか否かを判定するセットアップ完了判定過程（ＳＰ２）と、該セットアップ完了判定過程（ＳＰ２）の判定結果が否定的であったことを条件として、前記通信インタフェース（１１２）に通信機器（１２０）が接続されているか否かを判定する接続判定過程（ＳＰ４）と、該接続判定過程（ＳＰ４）の判定結果が肯定的であったことを条件として、所定の相手先に発呼するように前記通信機器（１２０）に対して指令を行う発呼指令過程（ＳＰ６）と、前記相手先が着呼したか否かを判定する着呼判定過程（ＳＰ１２）とをさらに有し、該着呼判定過程（ＳＰ１２）の判定結果が肯定的であったことを条件として、前記識別情報送信過程（ＳＰ１４）以降の処理を実行することを特徴とする。
また、請求項４記載のセットアップ情報提供方法にあっては、ＩＰ網（インターネット）に接続される通信装置（１００）に対して、該通信装置が該ＩＰ網を介して通信するためのセットアップ情報を供給するセットアップ情報供給方法であって、前記ＩＰ網とは異なる通信経路（１５０）を介して、前記通信装置から該通信装置の識別情報を受信する識別情報受信過程（ＳＰ７０）と、前記識別情報に対応するセットアップ情報が記憶されているか否かを判定するセットアップ情報判定過程（ＳＰ７２）と、該セットアップ情報判定過程（ＳＰ７２）の判定結果が肯定的であったことを条件として、前記通信経路（１５０）を介して、前記セットアップ情報を送信するセットアップ情報送信過程（ＳＰ８２）とを有することを特徴とする。
さらに、請求項５記載の構成にあっては、請求項４記載のセットアップ情報提供方法において、前記通信経路（１５０）を介して、前記通信装置（１００）からの呼設定信号を受信する過程と、該呼設定信号に基づいて、前記通信装置はセットアップ情報を送信すべき対象であるか否かを判定する呼設定信号判定過程（ＳＰ６２）と、該呼設定信号判定過程（ＳＰ６２）における判定結果が肯定的であったことを条件として、前記通信経路（１５０）との間で通信経路を確立する着呼受付過程（ＳＰ６４）とをさらに有することを特徴とする。
また、請求項６記載の通信装置の制御装置にあっては、請求項２ないし５の何れかに記載の方法を実行することを特徴とする。
また、請求項７記載のプログラムにあっては、請求項２ないし５の何れかに記載の方法を処理装置（１０４，２０４）に実行させることを特徴とする。
【発明の効果】
【０００６】
このように、本発明によれば、携帯情報端末等を介してルータ等の通信装置の識別情報を外部のサーバ等に送信することができ、また、外部のサーバ等からセットアップ情報を受信することができるから、高いセキュリティを保ちながら、遠隔地にある通信装置等のパラメータを自在に設定することができる。
【発明を実施するための最良の形態】
【０００７】
1．実施例のハードウエア構成
次に、本発明の一実施例のパラメータ設定システムの構成を図１を参照し説明する。
図において１００はルータであり、その内部にはＩＳＰ（インターネットサービスプロバイダ）を介してインターネットに接続されるＷＡＮインタフェース１０２が設けられている。１０４はＣＰＵであり、ＲＯＭ１０６に記憶された制御プログラムに基づいて、バス１１４を介してルータ１００内の各部を制御する。１０８はＲＡＭであり、ＣＰＵ１０４のワークメモリとして使用される。１１０はＬＡＮインタフェースであり、ルータ１００の設置場所に設けられたＬＡＮとの間でＩＰパケットを入出力する。１１１はタイマであり、現在時刻を計時するとともに、ＣＰＵ１０４の指示に応じて処理の経過時間等を計時する。１１２はシリアル・インタフェースであり、ＰＨＳ１２０あるいはセルラーホン（図示せず）に接続され、このＰＨＳ１２０等を介して公衆網１５０との間で各種制御信号の送受信を行うように構成されている。１１３はＬＣＤディスプレイであり、数行程度の文字情報を表示する。
【０００８】
次に、２００はサーバであり、その内部には公衆網１５０を介して各種制御信号およびデータの入出力を行うモデム２０２が設けられている。２１４はハードディスクであり、サーバ２００のオペレーティングシステムおよびアプリケーションプログラム、データベース等が記憶される。２０６はＲＯＭであり、イニシャルプログラムローダ等が記憶されている。２０４はＣＰＵであり、ＲＡＭ２０８内に展開されたオペレーティングシステムおよびアプリケーションプログラムに基づいて、サーバ２００内の各部を制御する。２１０は入力装置であり、キーボードおよびマウス等から構成されている。２１２はディスプレイであり、サーバ２００の操作者に対して各種情報を表示する。２１５はタイマであり、現在時刻を計時するとともに、ＣＰＵ２０４の指示に応じて処理の経過時間等を計時する。
【０００９】
なお、特に図示していないが、ルータ１００と同様に構成された多数のルータが設けられており、これらのルータは、ＰＨＳ等および公衆網１５０を介してサーバ２００と通信可能になっている。そして、サーバ２００のハードディスク２１４には、これらのルータの各々に設定すべきパラメータ（例えばＩＳＰのアクセスポイントの電話番号、ＩＤ、パスワード、ＤＮＳサーバのアドレス等）を規定したセットアップ情報を規定した「セットアップ・データベース」が記憶されている。さらに、各ルータ１００に対して接続され得るＰＨＳ等の電話番号も該セットアップ・データベースに記憶されている。
【００１０】
2．実施例の動作
2．1．全体シーケンス
次に、本実施例全体のシーケンスを図２を参照し説明する。
まず、ルータ１００の電源が投入されると、ＰＨＳ１２０に対して、相手先の電話番号すなわちサーバ２００のモデム２０２の電話番号を指定して発呼指示が出力される（ＳＰ１０２）。次に、ＰＨＳ１２０においては、この発呼指示に基づいて、該相手先の電話番号に対する呼設定信号が出力される（ＳＰ１０４）。サーバ２００においては、この呼設定信号に基づいて電話番号が正当なものであると確認されると該呼設定信号に対する着呼が行われ、その旨を通知する着呼受付通知がＰＨＳ１２０を介してルータ１００に供給される（ＳＰ１０６，ＳＰ１０８）。次に、ルータ１００からＰＨＳ１２０を介して、ルータ１００の識別情報（シリアルナンバ）が送信される（ＳＰ１１０，ＳＰ１１２）。サーバ２００においては、この識別情報が正当なものであるか否かが確認され、正当なものであった場合には、ＰＨＳ１２０を介して、ルータ１００に対して、識別情報確認通知が返信される（ＳＰ１１４，ＳＰ１１６）。
【００１１】
ルータ１００においては、該識別情報確認通知が返信されると、ＰＨＳ１２０を介して、サーバ２００に対して該ルータ１００のセットアップ情報の送信要求が送信される（ＳＰ１１８，ＳＰ１２０）。これに対応して、サーバ２００からルータ１００に対して、該ルータ１００に対応するセットアップ情報が返信される（ＳＰ１２２，ＳＰ１２４）。その後、全てのセットアップ情報がルータ１００にダウンロードされると、ルータ１００においてセットアップ処理が実行される。このセットアップ処理が完了すると、セットアップ完了通知がサーバ２００に報告される（ＳＰ１２６，ＳＰ１２８）。そして、このセットアップの終了がサーバ２００において確認されると、サーバ２００において公衆網１５０への回線が切断され、ルータ１００およびサーバ２００の双方においてセットアップは完了した旨が表示される。
【００１２】
2．2．ルータ１００の動作
次に、ルータ１００の詳細動作を説明する。まず、ルータ１００の電源が投入されると、該ルータ１００において図３に示すルータ・セットアップ・ルーチンが起動される。なお、図３において図２の各ステップに対応する箇所には、図２におけるステップ番号を括弧書きで示しておく。図において処理がステップＳＰ２に進むと、該ルータのセットアップが完了しているか否かが判定される。ここで「ＮＯ」と判定されると、処理はステップＳＰ４に進み、シリアル・インタフェース１１２に携帯端末が接続されているか否かが判定される。ここで「ＹＥＳ」と判定されると、処理はステップＳＰ６に進み、当該携帯端末に対して、サーバ２００側に発行するように指示が出力される。
【００１３】
次に、処理がステップＳＰ８に進むと、タイマ１１１において、この時点からの経過時間の計時が開始される。次に、処理がステップＳＰ１０に進むと、タイマ１１１の経過時間は所定の最大待機時間に達したか否かが判定される。ここで「ＮＯ」と判定されると、処理はステップＳＰ１２に進み、サーバ２００からＰＨＳ１２０を介して着呼受付通知を受信したか否かが判定される。ここで「ＮＯ」と判定されると、処理はステップＳＰ１０に戻り、着呼受付通知が受信され、あるいはタイマ１１１で計時されている経過時間が最大待機時間に達するまでステップＳＰ１０，ＳＰ１２の処理が繰り返される。ここで、着呼受付通知が受信されるとステップＳＰ１２において「ＹＥＳ」と判定され、処理はステップＳＰ１４に進む。ここでは、ルータ１００の識別情報がＰＨＳ１２０を介してサーバ２００に送信される。
【００１４】
次に、ステップＳＰ１６，ＳＰ１８，ＳＰ２０においては、各々上述したステップＳＰ８，ＳＰ１０，ＳＰ１２と同様の処理が実行される。但し、ステップＳＰ２０においては、ＰＨＳ１２０を介して識別情報確認通知が受信されたか否かが判定される。そして、識別情報確認通知が受信されると、処理はステップＳＰ２２に進み、セットアップ情報送信要求がＰＨＳ１２０を介して出力される。
【００１５】
次に、ステップＳＰ２４，ＳＰ２６，ＳＰ２８においては、各々上述したステップＳＰ８，ＳＰ１０，ＳＰ１２と同様の処理が実行される。但し、ステップＳＰ２８においては、ＰＨＳ１２０を介してセットアップ情報の受信が開始されたか否かが判定される。そして、受信が開始されると、処理はステップＳＰ３０に進み、この時点からの経過時間の計時がタイマ１１１において再び開始される。次に、処理がステップＳＰ３２に進むと、該経過時間が所定の最大受信継続時間に達したか否かが判定される。ここで「ＮＯ」と判定されると処理はステップＳＰ３４に進み、それまでに受信された部分のセットアップ情報がＲＡＭ１０８内の所定の領域に格納される。次に、処理がステップＳＰ３６に進むと、セットアップ情報の受信が全て終了したか否かが判定される。ここで、「ＮＯ」と判定されると、処理はステップＳＰ３２に戻り、セットアップ情報の格納処理（ＳＰ３４）が繰り返し実行される。
【００１６】
そして、全てのセットアップ情報の受信が終了すると、処理はステップＳＰ３８に進み、該セットアップ情報に基づくパラメータのセットアップ処理が実行される。すなわち、ルータ１００をインターネットに接続する際のＩＳＰ（インターネットサービスプロバイダ）の電話番号、ＩＤ番号、パスワード等がＲＡＭ１０８内の所定領域に格納される。次に、処理がステップＳＰ４０に進むと、セットアップ完了通知がＰＨＳ１２０を介して出力される。
【００１７】
次に、ステップＳＰ４２，ＳＰ４４，ＳＰ４６においては、各々上述したステップＳＰ８，ＳＰ１０，ＳＰ１２と同様の処理が実行される。但し、ステップＳＰ４６においては、ＰＨＳ１２０とサーバ２００との間で確立していた通信が切断されたか否かが判定される。回線が切断されると、ここで「ＹＥＳ」と判定され、処理はステップＳＰ４８に進む。ここでは、セットアップは完了した旨がＬＣＤディスプレイ１１３に表示され、本セットアップ・ルーチンの処理が終了する。
【００１８】
次に、上述した以外の状態におけるルータ１００の動作について説明する。まず、「既にセットアップが完了した状態でルータ１００の電源が投入された場合」にはステップＳＰ２において「ＹＥＳ」と判定され、処理はステップＳＰ５０に進む。ここでは、シリアル・インタフェース１１２を介して回線が接続されている状態であれば、当該回線が切断される。しかし、この場合には回線接続状態ではないため、ステップＳＰ５０では実質的な処理は実行されない。次に処理がステップＳＰ５２に進むと、必要に応じてＬＣＤディスプレイ１１３にエラーメッセージが表示されるとともに、リトライ（ルータ・セットアップ・ルーチンの再起動）が実行される。しかし、この場合には特にエラーが生じたわけではないため、エラー表示およびやリトライは実行されない。また、ＰＨＳ１２０等の携帯端末がシリアル・インタフェース１１２に接続されていなかった場合にはステップＳＰ４において「ＮＯ」と判定され、ステップＳＰ５０，ＳＰ５２が実行される。かかる場合においてもエラーが生じたわけではないため、ステップＳＰ５２においてエラー表示およびやリトライは実行されない。
【００１９】
一方、ステップＳＰ１０，ＳＰ１８，ＳＰ２６，ＳＰ３２，ＳＰ４４において「ＹＥＳ」と判定された場合には、なんらかの通信エラーが生じたものとみなされる。これらの場合においては、処理がステップＳＰ５０に進むと、通信を切断するようにＰＨＳ１２０に対してコマンドが出力される。また、ステップＳＰ５２においてはＬＣＤディスプレイ１１３には、エラーが生じた旨が表示される。さらに、ルータ１００のユーザは、本セットアップ・ルーチンのリトライ回数を指定すること（ＲＡＭ１０８の所定箇所にリトライ回数を記憶させておくこと）が可能である。このようにリトライ回数が指定されていた場合には、そのリトライ回数に至るか、セットアップが成功するまで、ルータ・セットアップ・ルーチン（図３）が再起動される。
【００２０】
2．3．サーバ２００の動作
次に、サーバ２００の詳細動作を説明する。まず、公衆網１５０を介してＰＨＳ１２０からの呼設定信号が供給されると、サーバ２００においては図４に示す呼設定信号受信ルーチンが起動される。図において処理がステップＳＰ６２に進むと、該発呼元はセットアップ対象であるか否か、すなわち呼設定信号に含まれる発呼元電話番号がセットアップ・データベースに記憶されている「電話番号」に含まれるか否かが判定される。ここで「ＹＥＳ」と判定されると、処理はステップＳＰ６４に進み、この呼設定信号に対する着呼受付通知が公衆網１５０に返信される。これにより、ＰＨＳ１２０とモデム２０２との間の回線が確立される。
【００２１】
次に、処理がステップＳＰ６６に進むと、タイマ２１５において、この時点からの経過時間の計時が開始される。次に、処理がステップＳＰ６８に進むと、タイマ２１５の経過時間は所定の最大待機時間に達したか否かが判定される。ここで「ＮＯ」と判定されると、処理はステップＳＰ７０に進み、公衆網１５０を介して、ルータ１００の識別情報を受信したか否かが判定される。ここで「ＮＯ」と判定されると、処理はステップＳＰ６８に戻り、識別情報が受信され、あるいはタイマ２１５で計時されている経過時間が最大待機時間に達するまでステップＳＰ６８，ＳＰ７０の処理が繰り返される。ここで、識別情報が受信されるとステップＳＰ７０において「ＹＥＳ」と判定され、処理はステップＳＰ７２に進む。ここでは、ルータ１００の識別情報に対応するセットアップ情報がセットアップ・データベースに記録されているか否かが判定される。記録されていれば処理はステップＳＰ７４に進み、識別情報確認通知が公衆網１５０を介して送信される。
【００２２】
次に、ステップＳＰ７６，ＳＰ７８，ＳＰ８０においては、各々上述したステップＳＰ６６，ＳＰ６８，ＳＰ７０と同様の処理が実行される。但し、ステップＳＰ８０においては、公衆網１５０を介してセットアップ情報送信要求が受信されたか否かが判定される。そして、該要求が受信されると、処理はステップＳＰ８２に進み、ルータ１００に対応するセットアップ情報が公衆網１５０を介して送信される。次に、ステップＳＰ８４，ＳＰ８６，ＳＰ８８においては、各々上述したステップＳＰ６６，ＳＰ６８，ＳＰ７０と同様の処理が実行される。但し、ステップＳＰ８８においては、公衆網１５０を介してセットアップ完了通知が受信されたか否かが判定される。そして、該通知が受信されると、処理はステップＳＰ８８に進み、ＰＨＳ１２０との間で確立していた回線が切断される。そして、処理がステップＳＰ９２に進むと、該ルータ１００に対するセットアップは完了した旨がディスプレイ２１２に表示され、本ルーチンの処理が終了する。なお、上記ステップＳＰ６８，ＳＰ７８，ＳＰ８６において「ＹＥＳ」と判定された場合、およびステップＳＰ６２，ＳＰ７２において「ＮＯ」と判定された場合には、処理はステップＳＰ９４に進む。ここでは、回線が接続状態であれば当該回線が切断された後、本ルーチンの処理が終了する。
【００２３】
このように、本実施例によれば、ＰＨＳまたはセルラーホン等の携帯情報端末を介してルータ１００と公衆網１５０とを接続するため、例えば単一契約の携帯情報端末を使いまわしながら多数のルータを順次セットアップすることができる。これにより、固定回線を敷設する必要がなくなり、コストダウンを実現することができる。
【００２４】
3．変形例
本発明は上述した実施例に限定されるものではなく、例えば以下のように種々の変形が可能である。
(1)上記各実施例においては、ルータ１００あるいはサーバ２００上で動作するプログラムによって本発明の各種機能を実現したが、このプログラムのみをＣＤ−ＲＯＭ、フレキシブルディスク等の記録媒体に格納して頒布し、あるいは伝送路を通じて頒布することもできる。
【００２５】
(2)また、上記実施例のステップＳＰ１２２〜ＳＰ１２８においては、ルータ１００に必要な全てのセットアップ情報がサーバ２００からルータ１００に送信されたが、これらのステップにおいてはＷＡＮ上に構築されたＶＰＮ（バーチャル・プライベート・ネットワーク）に接続可能になるような最小限のセットアップ情報のみをルータ１００に送信し、しかる後に該ＶＰＮを介して残りのセットアップ情報をルータ１００に送信するようにしてもよい。これにより、携帯情報端末の通話料を最小限に抑えることができる。
【図面の簡単な説明】
【００２６】
【図１】本発明の一実施例のパラメータ設定システムのブロック図である。
【図２】パラメータ設定システムのシーケンス図である。
【図３】ルータ・セットアップ・ルーチンのフローチャートである。
【図４】呼設定信号受信ルーチンのフローチャートである。
【符号の説明】
【００２７】
１００：ルータ（通信装置）、１０２：ＷＡＮインタフェース（ＩＰ網用インタフェース）、１０４：ＣＰＵ、１０６：ＲＯＭ、１０８：ＲＡＭ、１１０：ＬＡＮインタフェース、１１１：タイマ、１１２：シリアル・インタフェース（通信インタフェース）、１１３：ＬＣＤディスプレイ、１１４：バス、１２０：ＰＨＳ（通信機器）、１５０：公衆網（通信経路）、２００：サーバ、２０２：モデム、２０４：ＣＰＵ、２０６：ＲＯＭ、２０８：ＲＡＭ、２１０：入力装置、２１２：ディスプレイ、２１４：ハードディスク、２１５：タイマ。
【図１】
2005086735.tif 000003
【図２】
2005086735.tif 000004
【図３】
2005086735.tif 000005
【図４】
2005086735.tif 000006